(57)【要約】  シームレスレンズのカーブ部分の視野角特性による色ムラを低減することができる表示装置を提供する。シームレスレンズを表示面の前面に設けた表示装置であって、映像信号を入力する映像信号入力部と、映像信号入力部が入力した映像信号から得られる表示画像のうち、シームレスレンズのカーブ部分に対応する表示画像を水平ライン毎に画像変換する画像変換部とを備える。
2010125840.tif 000002
【特許請求の範囲】
【請求項１】
シームレスレンズを表示面の前面に設けた表示装置であって、
映像信号を入力する映像信号入力部と、
前記映像信号入力部が入力した映像信号から得られる表示画像のうち、前記シームレスレンズのカーブ部分に対応する表示画像を水平ライン毎に画像変換する画像変換部とを備えることを特徴とする、表示装置。
【請求項２】
前記シームレスレンズのカーブ部分に対応する表示画像の示す映像信号の入力階調と出力階調とを関連付けて記憶する階調テーブルを更に備え、
前記画像変換部は、前記階調テーブルを参照して、前記シームレスレンズのカーブ部分に対応する表示画像を水平ライン毎に画像変換する、請求項１に記載の表示装置。
【請求項３】
前記シームレスレンズのカーブ部分に対応する表示画像の示す映像信号の入力のＲＧＢ階調と出力のＲＧＢ階調とを関連付けて記憶するＲＧＢ階調テーブルを更に備え、
前記画像変換部は、前記ＲＧＢ階調テーブルを参照して、前記シームレスレンズのカーブ部分に対応する表示画像を水平ライン毎に画像変換する、請求項１に記載の表示装置。
【請求項４】
前記画像変換部は、前記シームレスレンズのカーブ部分に対応する表示画像を水平ラインで間引いて圧縮する画像変換を行う、請求項１に記載の表示装置。
【請求項５】
前記表示装置は、液晶表示装置である、請求項１〜４のいずれかに記載の表示装置。
【発明の詳細な説明】
【技術分野】
【０００１】
本発明は、表示装置に関し、より特定的には、シームレスレンズを備える表示装置に関する。
【背景技術】
【０００２】
近年、例えば液晶表示装置は、在来のブラウン管に比べて薄型、軽量などの特徴を有するフラットパネルディスプレイとして、液晶テレビ、モニタ、携帯電話などに幅広く利用されている。このような液晶表示装置では、複数の液晶パネルが用いられている。そして、液晶表示装置では、複数の各画素に対して、表示すべき階調値に応じた電圧信号を供給することにより、表示動作が行われて、当該液晶パネルの表示面に表示されるようになっている。【０００３】
ところで、液晶表示装置においては、画面上の表示輝度が局所的に所望の輝度よりも暗くなったり明るくなったりすることで、画面上にムラが発生することがある。このようなムラは、液晶表示装置において液晶表示セルの厚さのばらつき、電極パターンの太さのばらつき等に起因する。液晶表示装置の品質及び歩留まり率を向上させるためには、液晶パネルに表示される画像の輝度ムラを補正する工夫をする必要がある。【０００４】
画像の輝度ムラには、表示する画像データに依存するものがあり、そのようなムラの１つにクロストークがある。クロストークとは、図１１に示すように、液晶パネルの表示領域１５において、一部に特定のパターン１６を表示すると、そのパターンの上下の領域１７又は左右の領域１８に、パターン１６に起因した輝度変化が発生するものである。【０００５】
これにより、パターン１６の周囲が例えば均一な明るさ（均一階調）で表示されるはずである場合に、均一でない輝度のムラが現れてしまう。パターン１６の上下部分に発生する輝度変化を縦クロストーク、左右部分に発生する輝度変化を横クロストークと呼ぶ。【０００６】
横クロストークの原因としては、データバスラインとコモン電極との間の容量結合によるコモン電極電位の変動があげられる。コモン電極は、表示領域全体に広がる共通の電極である。データバスラインとコモン電極の間には液晶層が存在し、これにより容量結合が生じる。【０００７】
縦クロストークの原因としては、データバスラインと画素電極との容量結合による画素電位の変動があげられる。データバスラインと画素電極との間には、薄膜トランジスタのドレイン・ソース間の寄生容量が存在する。ある画素にデータの電位を書き込んだ後にデータバスラインの電位が変化すると、その電位変化が容量結合を介して画素電極に伝わり、既に書き込んだ画素の電位が変動してしまう。【０００８】
これにより、例えば図１１において、パターン１６がその周囲と異なる輝度である場合には、その上下の領域１７において輝度変化が発生する。そこで、コモン電極の電位変動に応じた分、或いは画素電極の電位変動に応じた分、データドライバに供給する表示データを補正することにより、データドライバからデータバスラインを介して各画素に書き込むデータ電位を修正して、クロストークを低減する技術が提案されている（例えば、特許文献１参照）。【０００９】
ところで、最近では、シームレス液晶表示装置が普及してきている。これは、液晶パネルの表示面の前面にレンズを設け、表示面の額縁がないように見せる液晶表示装置である。このようなシームレス液晶表示装置にも画面上に色ムラが発生することがある。
【先行技術文献】
【特許文献】
【００１０】
【特許文献１】特開２００６−２４３２６７号公報
【発明の概要】
【発明が解決しようとする課題】
【００１１】
しかしながら、従来、シームレス液晶表示装置において、シームレスレンズによる色ムラを低減する技術がなかった。そこで、本発明は、上記問題に鑑みてなされた。すなわち、シームレスレンズのカーブ部分の視野角特性による色ムラを低減することができる表示装置を提供することを目的とする。
【課題を解決するための手段】
【００１２】
上記の目的を達成するために、本発明に係る表示装置は、シームレスレンズを表示面の前面に設けた表示装置であって、映像信号を入力する映像信号入力部と、前記映像信号入力部が入力した映像信号から得られる表示画像のうち、前記シームレスレンズのカーブ部分に対応する表示画像を水平ライン毎に画像変換する画像変換部とを備えることを特徴とする。【００１３】
上記構成により、シームレスレンズのカーブ部分の視野角特性による色ムラを低減することができる表示装置を提供することができる。【００１４】
本発明に係る表示装置において、前記シームレスレンズのカーブ部分に対応する表示画像の示す映像信号の入力階調と出力階調とを関連付けて記憶する階調テーブルを更に備え、前記画像変換部は、前記階調テーブルを参照して、前記シームレスレンズのカーブ部分に対応する表示画像を水平ライン毎に画像変換する。【００１５】
上記構成により、シームレスレンズのカーブ部分に対応する映像信号の階調を補正できるため、シームレスレンズのカーブ部分の視野角特性による色ムラを低減することができる表示装置を提供することができる。【００１６】
本発明に係る表示装置において、前記シームレスレンズのカーブ部分に対応する表示画像の示す映像信号の入力のＲＧＢ階調と出力のＲＧＢ階調とを関連付けて記憶するＲＧＢ階調テーブルを更に備え、前記画像変換部は、前記ＲＧＢ階調テーブルを参照して、前記シームレスレンズのカーブ部分に対応する表示画像を水平ライン毎に画像変換する。【００１７】
上記構成により、シームレスレンズのカーブ部分に対応する映像信号のＲＧＢそれぞれの階調を補正できるため、シームレスレンズのカーブ部分の視野角特性による色ムラを低減することができる表示装置を提供することができる。【００１８】
本発明に係る表示装置において、前記画像変換部は、前記シームレスレンズのカーブ部分に対応する表示画像を水平ラインで間引いて圧縮する画像変換を行う。【００１９】
上記構成により、シームレスレンズのカーブ部分に対応する映像信号の示す画像を圧縮できるため、シームレスレンズのカーブ部分の視野角特性による色ムラを低減することができる表示装置を提供することができる。【００２０】
本発明に係る表示装置において、前記表示装置は、液晶表示装置であることが好ましい。
【発明の効果】
【００２１】
本発明によれば、シームレスレンズのカーブ部分の視野角特性による色ムラを低減することができる表示装置を提供することができる。
【図面の簡単な説明】
【００２２】
【図１Ａ】本発明の実施形態に係る液晶表示装置を示す概略図
【図１Ｂ】本発明の実施形態に係る液晶表示装置を示す断面図
【図１Ｃ】シームレスレンズを設けた表示装置を説明するための図
【図１Ｄ】シームレスレンズのカーブ部分の視野角特性を示す図
【図２】本発明の実施形態１に係る液晶表示装置の全体構成を示すブロック図
【図３】階調テーブルの一例を示す図
【図４】階調補正処理の動作を示すフロー図
【図５】本発明の実施形態２に係る液晶表示装置の全体構成を示すブロック図
【図６】ＲＧＢ階調テーブルの一例を示す図
【図７】階調補正処理の動作を示すフロー図
【図８】本発明の実施形態３に係る液晶表示装置の全体構成を示すブロック図
【図９】画像圧縮を説明するための図
【図１０】画像圧縮処理の動作を示すフロー図
【図１１】従来例を示す図
【発明を実施するための形態】
【００２３】
［実施形態１］
図１Ａは、本発明の実施形態１に係る液晶表示装置を示す概略図であり、図１Ｂは、本発明の実施形態１に係る液晶表示装置を示す断面図である。図１Ａに示すように、本実施形態１にかかる液晶表示装置１００は、表示部である液晶パネル１１０、液晶パネル１１０の前面に設けられたシームレスレンズ２００、及びこの液晶パネル１１０で画像表示を行うために必要な透過光を照射する照明装置であるバックライト（図示せず）を備えている。ここで、図１Ｂに示すように、液晶パネルの表示面の前面に設けられたシームレスレンズの縁は曲面をなしてカーブ部分２００ａを構成している。シームレスレンズのカーブ部分２００ａは、液晶パネル１１０の額縁２００ｂの上に設けられている。これにより、額縁の部分にも画像が表示される。このシームレスレンズを用いることにより、色ムラが発生するという場合がある。この色ムラの発生の原因として、シームレスレンズの縁のカーブ部分２００ａの視野角特性がある。図１Ｃに示すように、シームレスレンズの表面がカーブしていない部分と、カーブ部分とでは、光線の光路長が異なるため、図１Ｄに示すような視野角特性となる。そのため、視覚をずらして液晶パネルの表示面をみると、このシームレスレンズのカーブ部分の視野角特性により、シームレスレンズのカーブ部分に対応する液晶パネルの表示面に表示されている画像に色ムラが発生する場合がある。そのため、表示画像に後述する処理をしなければならない。なお、シームレスレンズにおいて、表面が曲面となっているカーブ部分をレンズ部とよび、表面が平らになっている部分を非レンズ部とよぶこともできる。なお、画像表示を行うための信号処理を行う映像表示回路や、アクティブバックライトとしてバックライトの各部分の色合いや明るさを調整するための制御回路、駆動回路などは、図１では図示を省略している。
【００２４】
液晶パネル１１０は、画素を透過する透過光量を制御することで画像を表示する透過型の表示素子であり、多階調での画像表示が可能であればそのタイプに制限はなく、ＴＦＴなどのスイッチング素子を用いたアクティブマトリックス型か、単純マトリックス型であるかは問わない。また、液晶表示のモードとしても、垂直配向型のいわゆるＶＡモードタイプや、ＩＰＳタイプ、ＯＣＢタイプなどの各種の表示モードの液晶パネルを使用することができる。
【００２５】
なお、本発明において液晶パネル１１０は、従来周知のものをそのまま用いることができるので、図面を用いた詳細な説明は省略するが、液晶層（図示せず）と、当該液晶層を狭持する一対の透明基板（図示せず）と、透明基板（図示せず）の各外側表面上にそれぞれ設けられた一対の偏光板（図示せず）とを備えている。また、液晶パネル１１０には、液晶パネル１１０を駆動するためのドライバ回路が設けられ、フレキシブルプリント基板などを介して、表示装置としての駆動回路と接続されている。
【００２６】
例えば本実施形態１における液晶パネル１１０は、アクティブマトリクス型の液晶パネルであり、マトリクス状に配置された走査線およびデータ線へ走査信号およびデータ信号を供給することにより、液晶層を画素単位に駆動可能に構成されている。つまり、各画素は、走査線およびデータ線の各交点近傍に設けられたスイッチング素子（ＴＦＴ）が走査線の信号にてオン状態とされたときに、データ線から画素電極へ書き込まれるデータ信号の電位レベルに応じて液晶分子の配列状態が変化することにより、データ信号に応じた階調表示を行う。すなわち、液晶パネル１１０では、バックライトから偏光板を介して入射された光の偏光状態が液晶層によって変調され、かつ、偏光板を通過して監視者側に出射していく光量が制御されることにより、所望の画像が表示される。
【００２７】
バックライトは、複数の発光素子であるＬＥＤを有する光源（図示せず）が、金属や樹脂からなる有底枠状のシャーシ（図示せず）の底面に多数配置されたものである。本実施形態にかかる液晶表示装置のバックライトは、一つの光源それぞれが、Ｒ（赤色）、Ｇ（緑色）、Ｂ（青色）の三色のＬＥＤをそれぞれ一つずつ有している。
【００２８】
バックライトからの照射光は、液晶パネル１１０の背面側の面である照射面に照射される。また、本実施形態の液晶表示装置のバックライトは、液晶パネル１１０で表示される表示画像に基づいて、それぞれの光源から照射される照射光の色や明るさを制御することで、液晶パネル１１０の背面側に照射されるバックライトからの照射光の色と輝度とを各部分で変化させるアクティブバックライト方式を採用している。
【００２９】
次に、図２を用いて、本実施形態の液晶表示装置での画像表示における信号処理について説明する。図２は、本実施形態１に係る液晶表示装置１００の全体構成を示すブロック図である。図２に示すように、入力された映像信号に基づいて、映像信号処理回路１２０で画像信号と光源制御信号とが生成される。
【００３０】
光源制御信号は、液晶パネル１１０で表示される画像を規定する画像信号に対応して、バックライトから照射される照射光の色と明るさとを制御するための信号である。本実施形態で採用されるアクティブバックライト方式では、液晶パネル１１０に表示される表示画像に対応して、光源からの照射光が制御される。例えば、暗い画像が表示されている部分で、光源からの照射光を暗くしたり、また、単色の画像が表示されている部分で、光源からの照射光を表示画像の色と合わせたりすることが行われる。
【００３１】
このようにすることで、液晶パネルの表示領域全面に対して常に最大値となる光量を照射し続ける従来のバックライトと比較して、バックライトの消費電力を低減できるほか、いわゆる黒浮きを無くして表示画像のコントラストを向上したり、色純度の高い画像を表示したりすることができる。
【００３２】
画像信号は、表示部である液晶パネル１１０の各画素にどのような階調を与えるかを定める信号、すなわち各画素における透過率を制御する信号である。この画像信号は、通常、液晶表示装置として表示すべき表示画像を規定する映像信号として与えられた、液晶パネル１１０の各画素を構成するＲ、Ｇ、Ｂ三色のサブ画素それぞれの階調信号である。
【００３３】
映像信号処理回路１２０（画像変換部）は、表示面の額縁を覆うシームレスレンズのカーブ部分に対応する映像信号から得られた各画素の階調信号に対して、階調テーブル１２１を参照し、水平ライン毎に階調の補正値を読み出して、入力の階調を出力の階調に変換する。
【００３４】
階調テーブル１２１は、例えば、図３に示すように、液晶パネル１１０の水平ライン毎に、予め設定された、映像信号の入力の階調に対応する出力の階調を補正値として記憶するテーブルである。この補正値は、例えば、装置製造時に、図１Ｃに示す角度θ（図１Ｄに示す上辺傾き）の値を計算しておき、図１Ｄに示すグラフから、色ムラを生じない階調を予め設定しておく。例えば、入力階調が「６３」であれば、出力階調の１ＬＩＮＥは「７４」、２ＬＩＮＥは「７３」と続き、ＮＬＩＮＥは「６４」である。
【００３５】
画像信号は階調制御回路１３０に入力されて、垂直方向と水平方向との走査によって１つの画像を表示することができるように、水平駆動信号と垂直駆動信号とに分割される。水平駆動信号と垂直駆動信号は、それぞれ水平駆動回路１４０と垂直駆動回路１５０を駆動させる。そして、液晶パネル１１０において、垂直駆動回路１５０により順次選択された走査線に対応して、水平駆動回路１４０からデータ線を介して画像表示のための階調信号が順次各画素に与えられることで表示画像が形成される。
【００３６】
光源制御信号は、光源制御回路１６０に入力され、光源制御回路１６０で、複数の光源それぞれに対してその照射すべき照射光の色と明るさとを指示する光源駆動信号が生成される。本実施形態では、上記したように、それぞれの光源は、発光素子であるＲ、Ｇ、Ｂ三色のＬＥＤを有しているため、光源駆動信号は、それぞれの光源が有するＲ、Ｇ、ＢのＬＥＤそれぞれの、本来求められる発光輝度を指示する信号である。
【００３７】
光源駆動信号は、光源制御回路１６０内で、後述する輝度補正が必要に応じて加えられて、輝度データに変換される。輝度データは、発光素子であるＬＥＤそれぞれの実際の発光輝度を決定する信号であり、この輝度データが、ＬＥＤのドライバである光源駆動回路１７０に印加される。そして、光源駆動回路１７０が、それぞれのＬＥＤに印加される電圧または電流を個別に制御して、接続線を介してそれぞれのＬＥＤに供給する。
【００３８】
以下、本発明の実施形態１に係る液晶表示装置１００の階調補正処理の動作について、図４のフロー図に従って説明する。
【００３９】
まず、映像信号が入力されると（ステップＳ４０１）、映像信号処理回路１２０は、予め記憶する液晶パネル１１０の表示面の額縁の水平ラインの位置に基づき、シームレスレンズのカーブ部分があるラインの映像信号か否かを判定する（ステップＳ４０２）。例えば、水平ラインの上から１０ＬＩＮＥ目までが額縁の水平ラインであると予め記憶されていたとすると、１０ＬＩＮＥ目までの水平ラインはカーブ部分があるラインである映像信号と判定する。
【００４０】
ステップＳ４０２において、シームレスレンズのカーブ部分があるラインの映像信号であると判定された場合、映像信号処理回路１２０は、表示面の額縁を覆うシームレスレンズのカーブ部分に対応する映像信号を、階調テーブル１２１を参照して、水平ライン毎に階調の補正値を読み出して、入力の階調を出力の階調に変換する（ステップＳ４０３）。映像信号処理回路１２０は、水平ライン毎に、レンズ部の映像信号か否かを判定し、レンズ部分の映像信号のみ、メモリに保管している階調テーブルを参照してデータを順次変換する。そして、映像信号処理回路１２０は、ステップＳ４０３で変換して得られた画像を表示させる（ステップＳ４０４）。
【００４１】
一方、ステップＳ４０２において、シームレスレンズのカーブ部分があるラインの映像信号でないと判定された場合、映像信号処理回路１２０は、表示面の額縁を覆うシームレスレンズのカーブ部分に対応する映像信号の階調を補正することなく、そのまま画像を表示させる（ステップＳ４０２→Ｓ４０４）。
【００４２】
以上説明したように、本実施形態によれば、表示面の額縁を覆うシームレスレンズのカーブ部分に対応する映像信号の階調を補正できるため、シームレスレンズのカーブ部分の視野角特性による色ムラを低減することができる表示装置を提供することができる。
【００４３】
［実施形態２］
図５は、本実施形態２にかかる液晶表示装置１００の全体構成を示すブロック図である。なお、実施形態１と構成が異なるところは、映像信号処理回路１２０の機能と、ＲＧＢそれぞれの階調を独立に補正するためのＲＧＢ階調テーブル１２２を備えるところである。
【００４４】
映像信号処理回路１２０は、表示面の額縁を覆うシームレスレンズのカーブ部分に対応する映像信号から得られた液晶パネル１１０での各画素の階調信号に対して、ＲＧＢ階調テーブル１２２を参照し、階調の補正値を読み出して、ＲＧＢ独立に入力の階調を出力の階調に変換する。
【００４５】
ＲＧＢ階調テーブル１２２は、例えば、図６に示すように、液晶パネル１１０の表示面の額縁の水平ライン毎に、予め設定された、映像信号の入力のＲＧＢの階調に対応する出力のＲＧＢの階調を補正値として記憶するテーブルである。例えば、入力階調が「１２２」であれば、出力階調の１ＬＩＮＥのＲは「１２２」、Ｇは「１２１」、Ｂは「１１９」、出力階調の２ＬＩＮＥのＲは「１２３」、Ｇは「１２０」、Ｂは「１２０」と続き、出力階調のＮＬＩＮＥのＲは「１２２」、Ｇは「１２２」、Ｂは「１２０」である。
【００４６】
以下、本発明の実施形態２に係る液晶表示装置１００の階調補正処理の動作について、図７のフロー図に従って説明する。
【００４７】
まず、映像信号が入力されると（ステップＳ７０１）、映像信号処理回路１２０は、予め記憶する液晶パネル１１０の表示面の額縁の水平ラインの位置に基づき、シームレスレンズのカーブ部分があるラインの映像信号か否かを判定する（ステップＳ７０２）。
【００４８】
ステップＳ７０２において、シームレスレンズのカーブ部分があるラインの映像信号であると判定された場合、映像信号処理回路１２０は、表示面の額縁を覆うシームレスレンズのカーブ部分に対応する映像信号を、ＲＧＢ階調テーブル１２２を参照して、水平ライン毎に階調の補正値を読み出して、入力のＲＧＢ階調を出力のＲＧＢ階調に変換する（ステップＳ７０３）。すなわち、レンズの色収差やレンズ自身の色によって色度変化が起こるため、非レンズ部と色度が変化する。そこで、予めメモリに設定しておいた階調テーブルを参照し、色度を補正する。そして、映像信号処理回路１２０は、ステップＳ４０３で変換して得られた画像を表示させる（ステップＳ７０４）。
【００４９】
一方、ステップＳ７０２において、シームレスレンズのカーブ部分があるラインの映像信号でないと判定された場合、映像信号処理回路１２０は、表示面の額縁を覆うシームレスレンズのカーブ部分に対応する映像信号の階調を補正することなく、そのまま画像を表示させる（ステップＳ７０２→Ｓ７０４）。
【００５０】
以上説明したように、本実施形態によれば、表示面の額縁を覆うシームレスレンズのカーブ部分に対応する映像信号のＲＧＢそれぞれの階調を補正できるため、シームレスレンズのカーブ部分の視野角特性による色ムラを低減することができる表示装置を提供することができる。
【００５１】
［実施形態３］
図８は、本実施形態３にかかる液晶表示装置１００の全体構成を示す概略ブロック図である。なお、実施形態１、２と構成が異なるところは、映像信号処理回路１２０の機能である。シームレスレンズによって映像を伸張しているため、入力画像と同じ映像を表示するためには映像を圧縮する必要がある。図９の様に視聴者が見る映像は（Ａ＋Ｂ）／Ａ倍に伸張しているため、シームレスレンズのカーブ部分の画像をＡ／（Ａ＋Ｂ）倍し圧縮補正する必要がある。映像信号処理回路１２０は、表示面の額縁を覆うシームレスレンズのカーブ部分に対応する映像信号から得られた各画素の表す画像を水平ラインで間引いて圧縮する。ただし、レンズ部分の画像を圧縮すると画像サイズが小さくなるため、入力する映像サイズをＢだけ大きくする必要がある。例えば、８００×ＲＧＢ×６００解像度のモジュールを使用し、Ａ＝３０ＬＩＮＥ、Ｂ＝１０ＬＩＮＥであると、入力画像のサイズを８００×ＲＧＢ×６１０にする。
【００５２】
以下、本発明の実施形態３に係る液晶表示装置１００の画像圧縮処理の動作について、図１０のフロー図に従って説明する。
【００５３】
まず、映像信号が入力されると（ステップＳ１００１）、映像信号処理回路１２０は、予め記憶する液晶パネル１１０の表示面の額縁の水平ラインの位置に基づき、シームレスレンズのカーブ部分があるラインの映像信号か否かを判定する（ステップＳ１００２）。
【００５４】
ステップＳ１００２において、シームレスレンズのカーブ部分があるラインの映像信号であると判定された場合、映像信号処理回路１２０は、表示面の額縁を覆うシームレスレンズのカーブ部分に対応する映像信号から得られた各画素の表す画像を水平ラインで間引いて圧縮する（ステップＳ１００３）。そして、映像信号処理回路１２０は、ステップＳ１００３で変換して得られた画像を表示させる（ステップＳ１００４）。
【００５５】
一方、ステップＳ１００２において、シームレスレンズのカーブ部分があるラインの映像信号でないと判定された場合、映像信号処理回路１２０は、表示面の額縁を覆うシームレスレンズのカーブ部分に対応する映像信号の示す画像を圧縮することなく、そのまま画像を表示させる（ステップＳ１００２→Ｓ１００４）。
【００５６】
以上説明したように、本実施形態によれば、表示面の額縁を覆うシームレスレンズのカーブ部分に対応する映像信号の示す画像を圧縮できるため、シームレスレンズのカーブ部分の視野角特性による色ムラを低減することができる表示装置を提供することができる。
【００５７】
なお、シームレスレンズのカーブ部分の視野角特性による色ムラを低減する方法は、上記各実施形態で説明した補正の仕方に限定されるものではなく、入力映像信号を演算処理によって補正する方法であってもよい。上記実施形態で説明した構成は、単に具体例を示すものであり、本発明の技術的範囲を制限するものではない。本発明の効果を奏する範囲において、任意の構成を採用することが可能である。
【符号の説明】
【００５８】
１００  液晶表示装置
１１０  液晶パネル
１２０  映像信号処理回路
１２１  階調テーブル
１２２  ＲＧＢ階調テーブル
１３０  階調制御回路
１４０  水平駆動回路
１５０  垂直駆動回路
１６０  光源制御回路
１７０  光源駆動回路
【図１Ａ】
2010125840.tif 000003
【図１Ｂ】
2010125840.tif 000004
【図１Ｃ】
2010125840.tif 000005
【図１Ｄ】
2010125840.tif 000006
【図２】
2010125840.tif 000007
【図３】
2010125840.tif 000008
【図４】
2010125840.tif 000009
【図５】
2010125840.tif 000010
【図６】
2010125840.tif 000011
【図７】
2010125840.tif 000012
【図８】
2010125840.tif 000013
【図９】
2010125840.tif 000014
【図１０】
2010125840.tif 000015
【図１１】
2010125840.tif 000016
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
シームレスレンズを表示面の前面に設けた表示装置であって、
映像信号を入力する映像信号入力部と、
前記映像信号入力部が入力した映像信号から得られる表示画像のうち、前記シームレスレンズのカーブ部分に対応する表示画像を水平ライン毎に画像変換する画像変換部と、
前記シームレスレンズのカーブ部分に対応する表示画像の示す映像信号の入力階調と出力階調とを関連付けて記憶する階調テーブルを備え、
前記画像変換部は、前記階調テーブルを参照して、前記シームレスレンズのカーブ部分に対応する表示画像を水平ライン毎に画像変換する、
ことを特徴とする、表示装置。
【請求項２】
シームレスレンズを表示面の前面に設けた表示装置であって、
映像信号を入力する映像信号入力部と、
前記映像信号入力部が入力した映像信号から得られる表示画像のうち、前記シームレスレンズのカーブ部分に対応する表示画像を水平ライン毎に画像変換する画像変換部と、
前記シームレスレンズのカーブ部分に対応する表示画像の示す映像信号の入力のＲＧＢ階調と出力のＲＧＢ階調とを関連付けて記憶するＲＧＢ階調テーブルを更に備え、
前記画像変換部は、前記ＲＧＢ階調テーブルを参照して、前記シームレスレンズのカーブ部分に対応する表示画像を水平ライン毎に画像変換する、
ことを特徴とする、表示装置。
【請求項３】
前記画像変換部は、前記シームレスレンズのカーブ部分に対応する表示画像を水平ラインで間引いて圧縮する画像変換を行う、請求項１に記載の表示装置。
【請求項４】
前記表示装置は、液晶表示装置である、請求項１〜３のいずれかに記載の表示装置。
【国際調査報告】
2010125840.tif 000017
2010125840.tif 000018
2010125840.tif 000019
2010125840.tif 000020